(57)【要約】      （修正有）【課題】医療情報を総合的に把握して患者に薬の適切な服用を促し、患者による薬の服用タイミングに応じて薬の飲み忘れを判定するための閾値を自動的に設定可能とする医療情報処理システム及びサーバを提供する。【解決手段】送受信装置１０２は、患者情報及び薬情報に基づき、薬の服用予定時刻又は時間帯になった場合に、該当する患者が保持する端末２に対して薬の服用を促す情報を送信し、当該端末２は、入力操作に応じて、薬の服用を知らせる情報をサーバ１に送信し、送受信装置１０２は、患者情報及び服用情報に基づき、端末２に対して薬の服用を促す情報を送信後、閾値により定めた時刻までに当該端末２から薬の服用を知らせる情報を受信しない場合に、当該端末２に対して警告を示す情報を送信し、薬服用管理装置１１０は、送受信装置１０２により薬の服用を知らせる情報が受信された場合に、当該受信された時刻に基づき、該当する患者の閾値を更新する。【選択図】図１
0003208257.tif 000002
【実用新案登録請求の範囲】
【請求項１】
サーバと、前記サーバとの間で情報の送受信を行う端末とを備え、
前記サーバは、
患者毎に、保持する前記端末を示す情報を含む患者情報を記憶する管理装置と、
患者毎に、薬の服用予定時刻又は時間帯を示す情報を含む薬情報を記憶する薬管理装置と、
患者毎に、薬の飲み忘れを判定するための閾値を示す情報を含む服用情報を記憶する薬服用管理装置と、
前記端末との間で情報の送受信を行う送受信装置とを備え、
前記送受信装置は、前記患者情報及び前記薬情報に基づき、薬の服用予定時刻又は時間帯になった場合に、該当する患者が保持する前記端末に対して薬の服用を促す情報を送信し、
前記薬の服用を促す情報を受信した前記端末は、入力操作に応じて、薬の服用を知らせる情報を前記サーバに送信し、
前記送受信装置は、前記患者情報及び前記服用情報に基づき、前記端末に対して薬の服用を促す情報を送信後、前記閾値により定めた時刻までに当該端末から薬の服用を知らせる情報を受信しない場合に、当該端末に対して警告を示す情報を送信し、
前記薬服用管理装置は、前記送受信装置により薬の服用を知らせる情報が受信された場合に、当該受信された時刻に基づき、該当する患者の前記閾値を更新する
ことを特徴とする医療情報処理システム。
【請求項２】
前記端末は、前記患者情報及び前記薬情報を含む医療情報を暗号化して前記サーバに送信し、
前記サーバは、
前記端末からの医療情報を復号化して前記送受信装置に出力し、前記送受信装置から前記端末への医療情報を暗号化して出力する暗号復号化装置と、
前記送受信装置により受信された医療情報を解析して前記患者情報及び前記薬情報を抽出する処方箋処理装置とを備え、
前記管理装置は、前記処方箋処理装置により抽出された前記患者情報を記憶し、
前記薬管理装置は、前記処方箋処理装置により抽出された前記薬情報を記憶する
ことを特徴とする請求項１記載の医療情報処理システム。
【請求項３】
前記端末は、
前記サーバからの情報に含まれる文字を音声に変換して出力する機能、及び、音声を検出して文字に変換する機能を有する音声認識装置を備え、
前記音声認識装置により音声が文字に変換された場合には当該文字を示す情報を前記サーバに送信し、前記音声認識装置により文字に変換できなかった場合には当該音声を示す情報を前記サーバに送信し、
前記サーバは、
前記送受信装置により音声を示す情報が受信された場合に、当該音声を解析する音声解析装置を備えた
ことを特徴とする請求項１又は請求項２記載の医療情報処理システム。
【請求項４】
前記患者情報は、患者毎に、非常時連絡者が保持する前記端末を示す情報を含み、
前記送受信装置は、前記音声解析装置により音声が非常時連絡者の呼び出しであると解析された場合に、前記患者情報に基づき、当該非常時連絡者が保持する前記端末に対して呼び出しを示す情報を送信する
ことを特徴とする請求項３記載の医療情報処理システム。
【請求項５】
前記患者情報は、患者毎に、非常時連絡者が保持する前記端末を示す情報を含み、
患者を撮影するカメラと、
前記カメラにより撮影された画像を示す情報を直接又は前記端末を介して前記サーバに送信するアダプタとを備え、
前記サーバは、
前記患者情報及び前記薬情報に基づいて、薬の服用予定時刻又は時間帯を含む時間帯において、前記送受信装置により受信された該当する患者の画像を示す情報を、予め保持する薬を服用する様子を示す画像とを比較し、異常を検知する画像解析装置を備え、
前記送受信装置は、前記画像解析装置により異常が検知された場合に、前記患者情報に基づき、該当する非常時連絡者が保持する前記端末に対して警報を示す情報を送信する
ことを特徴とする請求項１から請求項４のうちのいずれか１項記載の医療情報処理システム。
【請求項６】
前記薬情報は、薬の服用量を示す情報を含み、
置かれた薬の重量を計量し、当該計量した重量を示す情報を直接又は前記端末を介して前記サーバに送信する薬計量装置を備え、
前記薬服用管理装置は、前記送受信装置により重量を示す情報が受信された場合に、前記薬情報に基づき、当該重量から薬の服用を確認する
ことを特徴とする請求項１から請求項５のうちのいずれか１項記載の医療情報処理システム。
【請求項７】
前記音声解析装置は、前記送受信装置により受信された情報に含まれる音声を、解析済みの音声との比較を繰り返すことで解析し、当該解析した音声を記憶する
ことを特徴とする請求項３記載の医療情報処理システム。
【請求項８】
患者毎に、保持する端末を示す情報を含む患者情報を記憶する管理装置と、
患者毎に、薬の服用予定時刻又は時間帯を示す情報を含む薬情報を記憶する薬管理装置と、
患者毎に、薬の飲み忘れを判定するための閾値を示す情報を含む服用情報を記憶する薬服用管理装置と、
前記端末との間で情報の送受信を行う送受信装置とを備え、
前記送受信装置は、前記患者情報及び前記薬情報に基づき、薬の服用予定時刻又は時間帯になった場合に、該当する患者が保持する前記端末に対して薬の服用を促す情報を送信し、
前記送受信装置は、前記患者情報及び前記服用情報に基づき、前記端末に対して薬の服用を促す情報を送信後、前記閾値により定めた時刻までに当該端末から薬の服用を知らせる情報を受信しない場合に、当該端末に対して警告を示す情報を送信し、
前記薬服用管理装置は、前記送受信装置により薬の服用を知らせる情報が受信された場合に、当該受信された時刻に基づき、該当する患者の前記閾値を更新する
ことを特徴とするサーバ。
【考案の詳細な説明】
【技術分野】
【０００１】
この考案は、サーバと、サーバとの間で情報の送受信を行う端末とを備えた医療情報処理システム及びサーバに関する。
【背景技術】
【０００２】
従来、医師から処方された薬の服用は、通常、患者（要介護者を含む）に任されている。しかしながら、薬の種類はおびただしく増加し、薬の名称も難しくなり、服用すべき時刻又は時間帯も複雑化している。このような状況下及び高齢化社会では、薬の飲み忘れ、飲薬の際の容量又は用法の間違い、誤った飲み合わせ等により、副作用等が生じる恐れがある。その結果、完治の遅れや患者の生命の危険さえ招く恐れがある。
【０００３】
地域によっては、患者に処方箋とともに紙製のノートであるお薬手帳を発行し、現在服用している薬の種類、服用すべき時刻又は時間帯、容量等の情報を患者が把握可能としている場合もある。しかしながら、お薬手帳は、常時携帯するには不便な大きさ及び形状であり、また、携帯することを忘れる場合もあり、患者がお薬手帳を常時携帯することは必ずしも期待できない。そのため、患者が複数の医療機関や薬局を利用する場合、医師によるカルテ情報及び処方箋情報、薬局での調剤情報等の医療情報を漏れなく総合的に把握することは、患者の自己申告に頼らざるを得ない。
【０００４】
一方、我が国における携帯端末の利用台数は９０００万台にも達しており、まさに、一家に一台の状態から一人に一台の状態に近づきつつある。近年では、各携帯端末事業者の端末の差別化が進み、高齢者や子供（例えば小学生）専用の端末まで発売されるに至り、これらの世代への普及も急激に進んでいる。また、パーソナルコンピュータ（以下、パソコンと称す）の利用も若年層、壮年層から徐々にシニア層に普及して来ており、高齢者においても利用が期待できる状況となりつつある。
【０００５】
そこで、本考案者は、携帯端末又はパソコン等の端末を用いて、患者の医療情報を総合的に把握し、処方箋に則った正しい薬の飲み方を患者に提供し、薬の飲み忘れ及び飲み間違いを防止する医療情報処理システムを提案した（特許文献１参照）。
【先行技術文献】
【特許文献】
【０００６】
【特許文献１】特許第５１０８３９３号
【考案の概要】
【考案が解決しようとする課題】
【０００７】
ここで、患者が服用する薬は、正しいタイミングで正しい量を正しい方法で服用することが求められる。しかしながら、患者は、本人の生来の性格、年齢又は病状等により、服用すべき薬を正しいタイミングで正しい量を正しい方法で服用しない場合がある。また、タイミングが多少遅くなってもよい場合や、１回程度飲み忘れても問題ない場合等、飲薬の正確性が低下しても許容される程度は異なる。
一方、従来システムでは、薬の飲み忘れを判定するための時間（閾値）を患者毎に設定可能としている。しかしながら、従来システムでは、上記閾値の設定を、患者による薬の服用タイミングに応じて自動的に設定することは示されていない。
【０００８】
この考案は、上記のような課題を解決するためになされたもので、患者の医療情報を総合的に把握し、患者に薬の適切な服用を促すとともに、患者による薬の服用タイミングに応じて、薬の飲み忘れを判定するための閾値を自動的に設定可能な医療情報処理システムを提供することを目的としている。
【課題を解決するための手段】
【０００９】
この考案に係る医療情報処理システムは、サーバと、サーバとの間で情報の送受信を行う端末とを備え、サーバは、患者毎に、保持する端末を示す情報を含む患者情報を記憶する管理装置と、患者毎に、薬の服用予定時刻又は時間帯を示す情報を含む薬情報を記憶する薬管理装置と、患者毎に、薬の飲み忘れを判定するための閾値を示す情報を含む服用情報を記憶する薬服用管理装置と、端末との間で情報の送受信を行う送受信装置とを備え、送受信装置は、患者情報及び薬情報に基づき、薬の服用予定時刻又は時間帯になった場合に、該当する患者が保持する端末に対して薬の服用を促す情報を送信し、薬の服用を促す情報を受信した端末は、入力操作に応じて、薬の服用を知らせる情報をサーバに送信し、送受信装置は、患者情報及び服用情報に基づき、端末に対して薬の服用を促す情報を送信後、閾値により定めた時刻までに当該端末から薬の服用を知らせる情報を受信しない場合に、当該端末に対して警告を示す情報を送信し、薬服用管理装置は、送受信装置により薬の服用を知らせる情報が受信された場合に、当該受信された時刻に基づき、該当する患者の閾値を更新することを特徴とする。
【考案の効果】
【００１０】
この考案によれば、上記のように構成したので、患者の医療情報を総合的に把握し、患者に薬の適切な服用を促すとともに、患者による薬の服用タイミングに応じて、薬の飲み忘れを判定するための閾値を自動的に設定可能である。
【図面の簡単な説明】
【００１１】
【図１】この考案の実施の形態１に係る医療情報処理システムの構成例を示すブロック図である。
【図２】この考案の実施の形態１における端末とインターネットと接続例を示す図である。
【図３】この考案の実施の形態１における患者情報のフォーマット例を示す図である。
【図４】この考案の実施の形態１における薬情報のフォーマット例を示す図である。
【図５】この考案の実施の形態１における薬局情報のフォーマット例を示す図である。
【図６】この考案の実施の形態１における医療機関情報のフォーマット例を示す図である。
【図７】この考案の実施の形態１におけるカルテ情報のフォーマット例を示す図である。
【図８】この考案の実施の形態１における服用情報のフォーマット例を示す図である。
【図９】この考案の実施の形態１における暗号復号化装置のハードウェア構成例を示すブロック図である。
【図１０】この考案の実施の形態１におけるアプリ処理装置のハードウェア構成例を示すブロック図である。
【図１１】この考案の実施の形態１における統合化装置のハードウェア構成例を示すブロック図である。
【図１２】この考案の実施の形態１におけるカルテ管理装置のハードウェア構成例を示すブロック図である。
【図１３】この考案の実施の形態１における薬服用管理装置のハードウェア構成例を示すブロック図である。
【図１４】この考案の実施の形態１に係る医療情報処理システムにおける処方箋情報の登録動作例を示すシーケンス図である。
【図１５】この考案の実施の形態１に係る医療情報処理システムで用いる処方箋の構成例を示す概略図である。
【図１６】図１６Ａ〜図１６Ｅは、この考案の実施の形態１に係る医療情報処理システムにおける処方箋情報の登録動作例を説明する図であって、図１６Ａは入力画面を示す図であり、図１６Ｂは全体メニュー画面を示す図であり、図１６Ｃは薬情報の個別メニュー画面を示す図であり、図１６Ｄは撮影画面を示す図であり、図１６Ｅは登録完了画面を示す図である。
【図１７】この考案の実施の形態１に係る医療情報処理システムにおける処方箋情報の登録動作例を示す別のシーケンス図である。
【図１８】図１８Ａ〜図１８Ｄは、この考案の実施の形態１に係る医療情報処理システムにおけるカルテ情報の登録動作例を説明する図であって、図１８Ａはカルテ情報の個別メニュー画面を示す図であり、図１８Ｂは撮影画面を示す図であり、図１８Ｄは登録完了画面を示す図であり、図１８Ｄはデータ送信画面を示す図である。
【図１９】図１９Ａ〜図１９Ｆは、この考案の実施の形態１に係る医療情報処理システムにおける処方箋情報の閲覧動作例を説明する図であって、図１９Ａは処方箋画面を示す図であり、図１９Ｂは薬画面を示す図であり、図１９Ｃは医療機関画面を示す図であり、図１９Ｄは医療機関住所画面を示す図であり、図１９Ｅは薬局画面を示す図であり、図１９Ｆは薬局住所画面を示す図である。
【図２０】図２０Ａ〜図２０Ｇは、この考案の実施の形態１に係る医療情報処理システムにおけるカルテ情報の閲覧動作例を説明する図であって、図２０Ａはカルテ画面を示す図であり、図２０Ｂは病名画面を示す図であり、図２０Ｃは治療内容画面を示す図であり、図２０Ｄは医療機関画面を示す図であり、図２０Ｅは医療機関住所画面を示す図であり、図２０Ｆは薬局画面を示す図であり、図２０Ｇは薬局住所画面を示す図である。
【図２１】この考案の実施の形態１における飲薬通知画面を示す図である。
【図２２】この考案の実施の形態２における医療情報処理システムの構成例を示すブロック図である。
【図２３】この考案の実施の形態２における音声解析装置のハードウェア構成例を示すブロック図である。
【図２４】この考案の実施の形態２に係る医療情報処理システムにおけるサーバと端末との間での音声処理例を示す図である。
【図２５】この考案の実施の形態３における医療情報処理システムの構成例を示すブロック図である。
【図２６】この考案の実施の形態３におけるアダプタのハードウェア構成例を示すブロック図である。
【図２７】図２７Ａ、図２７Ｂは、この考案の実施の形態３における見守り装置の構成例を示す図である。
【図２８】この考案の実施の形態３における操作インタフェースのハードウェア構成例を示す図である。
【図２９】この考案の実施の形態４における医療情報処理システムの構成例を示すブロック図である。
【図３０】この考案の実施の形態４における薬計量装置の構成例を示す図である。
【図３１】この考案の実施の形態５における音声解析装置の動作例を示すフローチャートである。
【考案を実施するための形態】
【００１２】
以下、この考案の実施の形態について図面を参照しながら詳細に説明する。
実施の形態１．
図１はこの考案の実施の形態１に係る医療情報処理システムの構成例を示すブロック図である。
医療情報処理システムは、図１に示すように、サーバ１及び端末２を備え、通信回線を介して通信可能に構成されている。なお図１では、端末２として携帯端末を用い、通信回線として、通信アンテナ３、携帯端末基地局４及びインターネット５を用いた場合を示している。なお、端末２としては、携帯端末に限らず、スマートホン、パソコン又はタブレット等でもよい。
【００１３】
図２は、患者、家族又は介助者等の補助者、医者又は看護師等が在席する医療機関、薬剤師等が在席する薬局又は関係部署において、インターネット５に接続された端末（携帯端末２ａ、パソコン２ｂ）２を示している。この図２に示すように、端末２を用いることで、本考案のサーバ１にアクセスでき、マルチクライアントを実現できる。なお、予め権限を与えられた者が与えられた範囲内で情報の登録（記憶）、閲覧、削除又は更新等が可能なように、サーバ１にアクセスする際にはユーザ認証を行う。
【００１４】
なお、端末２は、医療情報をサーバ１に送信する場合には、暗号化して送信を行う。ここで、端末２がサーバ１に送信する医療情報としては、処方箋情報及びカルテ情報が挙げられる。また以下では、処方箋情報には、患者情報、薬情報、薬局情報及び医療機関情報が含まれているものとする。
また、患者が保持する端末２では、患者又は補助者等による入力操作に応じ、薬の服用を知らせる情報をサーバ１に送信する。
【００１５】
ここで、患者情報には、例えば図３に示すように、患者毎に、患者を識別する番号（患者番号）、患者氏名、患者住所、患者自宅電話、患者携帯端末、患者メールアドレス、非常時連絡者（補助者等）の氏名（非常時連絡先氏名）、非常時連絡先自宅電話、非常時連絡先携帯端末、非常時連絡先メールアドレス及び備考を示す情報が含まれる。
また、薬情報には、例えば図４に示すように、患者毎に、薬の製品番号、製品名、容量、１日最大摂取量、飲用最大期間、標準飲用容量（朝）、標準飲用容量（朝昼食間）、標準飲用容量（昼）、標準飲用容量（昼夜食間）、標準飲用容量（夜）、標準飲用容量（寝前）、効能、製剤番号、製造会社社番及び備考を示す情報が含まれる。
また、薬局情報には、例えば図５に示すように、患者毎に、薬局を識別する番号（薬局番号）、薬局名、薬剤代表者氏名、薬局住所、薬局電話、薬局ＦＡＸ、薬局メールアドレス、薬局ネット担当者氏名、薬局ネット担当者電話、薬局ネット担当者メールアドレス及び備考を示す情報が含まれる。なお、備考には、例えば、今まで飲んだ薬の履歴、副作用等が記載される。
また、医療機関情報には、例えば図６に示すように、患者毎に、医療機関を識別する番号（医療機関番号）、医療機関名、医療機関代表者氏名、医療機関住所、医療機関電話、医療機関ＦＡＸ、医療機関メールアドレス、医療機関ネット担当者氏名、医療機関ネット担当者電話、医療機関ネット担当者メールアドレス及び備考を示す情報が含まれる。
また、カルテ情報には、例えば図７に示すように、患者毎に、患者番号、受診年月日、医療機関番号、薬局番号、受診科名、医師名、医師連絡先、医師内線、医師メールアドレス、病名、カルテ内容、受診期間閾値、連絡先コード及び備考を示す情報が含まれる。
【００１６】
サーバ１は、図１に示すように、暗号復号化装置１０１、送受信装置１０２、アプリ処理装置１０３、統合化装置１０４、処方箋処理装置１０５、管理装置１０６、薬管理装置１０７、カルテ処理装置１０８、カルテ管理装置１０９及び薬服用管理装置１１０を備え、高速システムバス１１１を介して接続されている。なお、高速システムバス１１１は、例えば高速パラレルバス又は光ケーブルでもよい。
【００１７】
暗号復号化装置１０１は、端末２からの医療情報を復号化（暗号を解除）して送受信装置１０２に出力し、送受信装置１０２から端末２への医療情報を暗号化して出力する。なお、暗号化としては、例えば携帯端末やパソコン等でも使用されているセキュア・ソケット・レイヤ（ＳＳＬ）を用いることができる。この暗号復号化装置１０１により、患者の個人情報が含まれる医療情報の秘匿性を確保する。
【００１８】
送受信装置１０２は、自動的に又は統合化装置１０４からのリクエストに応じ、端末２との間で情報の送受信を行う。
【００１９】
アプリ処理装置１０３は、統合化装置１０４からのリクエストに応じ、送受信装置１０２により受信された情報を解析し、当該情報をサーバ１で動作可能なデータに変換する。なお、アプリ処理装置１０３は必須の構成ではなく、サーバ１から取り除いてもよい。
【００２０】
統合化装置１０４は、送受信装置１０２、アプリ処理装置１０３、処方箋処理装置１０５、カルテ処理装置１０８及び薬服用管理装置１１０を制御することで、統一的に連携して効率よく作動させる。
【００２１】
処方箋処理装置１０５は、統合化装置１０４からのリクエストに応じ、送受信装置１０２により受信されてアプリ処理装置１０３により処理された医療情報を解析して患者情報、薬情報、薬局情報、医療機関情報を抽出し、管理装置１０６及び薬管理装置１０７に記憶させる。また、処方箋処理装置１０５は、統合化装置１０４からのリクエストに応じ、管理装置１０６及び薬管理装置１０７に記憶された情報を抽出して、閲覧用の情報を作成する。また、処方箋処理装置１０５は、統合化装置１０４からのリクエストに応じ、管理装置１０６及び薬管理装置１０７に記憶された情報の削除、更新等を行う。
【００２２】
管理装置１０６は、処方箋処理装置１０５により抽出された患者情報を記憶する。
薬管理装置１０７は、処方箋処理装置１０５により抽出された薬情報、薬局情報及び医療機関情報を記憶する。
【００２３】
カルテ処理装置１０８は、統合化装置１０４からのリクエストに応じ、送受信装置１０２により受信されてアプリ処理装置１０３により処理された医療情報を解析してカルテ情報を抽出し、カルテ管理装置１０９に記憶させる。また、カルテ処理装置１０８は、統合化装置１０４からのリクエストに応じ、カルテ管理装置１０９に記憶された情報を抽出して、閲覧用の情報を作成する。また、カルテ処理装置１０８は、統合化装置１０４からのリクエストに応じ、カルテ管理装置１０９に記憶された情報の削除、更新等を行う。
【００２４】
カルテ管理装置１０９は、カルテ処理装置１０８により抽出されたカルテ情報を記憶する。
なお、カルテ処理装置１０８及びカルテ管理装置１０９は必須の構成ではなく、サーバ１から取り除いてもよい。
【００２５】
薬服用管理装置１１０は、統合化装置１０４からのリクエストに応じ、服用情報を記憶する。
ここで、服用情報には、例えば図８に示すように、患者毎に、患者番号、処方年月日、飲用開始日、飲用終了日、薬製品番号、１日摂取量、飲用容量（朝）、飲用容量（朝昼食間）、飲用容量（昼）、飲用容量（昼夜食間）、飲用容量（夜）、飲用容量（寝前）、飲み忘れ閾値、連絡先コード及び備考を示す情報が含まれる。なお、飲み忘れ閾値は、薬の飲み忘れを判定するための閾値（時間）であり、初期状態では規定の値が設定される。
【００２６】
なお、上記のように、患者情報、薬情報、カルテ情報、服用情報等をそれぞれ異なる記憶装置に記憶するレイド方式（高速、大容量、高信頼性のために複数のハードディスクを使用する方式）を採用することで、医療情報に含まれる個人情報の秘匿性と安全性を高めることができる。
【００２７】
そして、送受信装置１０２は、統合化装置１０４からのリクエストに応じ、管理装置１０６に記憶された患者情報及び薬管理装置１０７に記憶された薬情報に基づき、薬の服用予定時刻又は時間帯になった場合に、該当する患者が保持する端末２に対して薬の服用を促す情報を送信する。その後、送受信装置１０２は、上記端末２から薬の服用を知らせる情報を受信する。一方、送受信装置１０２は、管理装置１０６に記憶された患者情報及び薬服用管理装置１１０に記憶された服用情報に基づき、上記端末２に対して薬の服用を促す情報を送信後、飲み忘れ閾値により定めた時刻までに当該端末２から薬の服用を知らせる情報を受信しない場合には、当該端末２に対して警告を示す情報を送信する。そして、送受信装置１０２は、上記端末２に対して警告を示す情報を送信後、一定時間経っても当該端末２から応答がない場合には、管理装置１０６に記憶された患者情報に基づき、該当する非常時連絡者が保持する端末２に対して異常を知らせる情報を送信する。
【００２８】
また、薬服用管理装置１１０は、送受信装置１０２により薬の服用を知らせる情報が受信された場合には、当該情報が受信された時刻、服用した薬の種類、量等を服用履歴として記憶するとともに、当該時刻に基づき、該当する患者の飲み忘れ閾値を更新する。この更新を繰り返し行うことで、薬服用管理装置１１０は、患者毎の性格、年齢又は病状等による薬の服用タイミングに応じた飲み忘れ閾値を自動で設定可能となる。
【００２９】
次に、暗号復号化装置１０１のハードウェア構成例を、図９を参照しながら説明する。
暗号復号化装置１０１は、図９に示すように、通信回線との間で情報の入出力を行う通信制御インタフェース１０１１、通信制御インタフェース１０１１からの情報を復号化する復号化処理部１０１２、バス１１１との間で情報の入出力を行う通信Ｉ／Ｆ１０１３、通信Ｉ／Ｆ１０１３からの情報を暗号化する符号化処理部１０１４、各種処理を行うＣＰＵ１０１５、一時記憶を行うメモリモジュール１０１６、各部を動作させるためのプログラムを記憶する記憶装置１０１７、モニタ等の表示装置（不図示）に情報を出力する表示Ｉ／Ｆ１０１８、キーボード等の入力装置（不図示）からの情報が入力される入力Ｉ／Ｆ１０１９を有している。
【００３０】
次に、アプリ処理装置１０３の構成例について、図１０を参照しながら説明する。
アプリ処理装置１０３は、図１０に示すように、バス１１１との間で情報の入出力を行う通信Ｉ／Ｆ１０３１、通信Ｉ／Ｆ１０３１からの情報を解析するキャリア検出部１０３２、キャリア検出部１０３２による解析結果に応じて入力された情報をサーバ１で動作可能な情報に変換するアプリ処理部１０３３ａ〜１０３３ｅ及びコンピュータ処理部１０３４、各種処理を行うＣＰＵ１０３５、一時記憶を行うメモリモジュール１０３６、各部を動作させるためのプログラムを記憶する記憶装置１０３７、表示装置に情報を出力する表示Ｉ／Ｆ１０３８、入力装置からの情報が入力される入力Ｉ／Ｆ１０３９を有している。
【００３１】
なお、アプリ処理部１０３３ａ〜１０３３ｅは、各携帯端末会社に対応したデータ処理を行うものであり、端末２に対応する携帯端末会社のプロトコルに則ったデータを、サーバ１のプロトコルに変換する。各アプリ処理部１０３３ａ〜１０３３ｅは、具体的には次のような処理を行う。なお、以下は現状で示される処理部であり、今後、新たな通信プロトコルが登場すれば、それをサーバ１のプロトコルに変換する処理部を備えることとなる。
ｉモード（登録商標）処理部１０３３ａ：ドコモ（ｉモードデータをサーバ１のプロトコルに変換）
αアプリ（登録商標）処理部１０３３ｂ：ドコモ（αアプリデータをサーバ１のプロトコルに変換）
ＥＺアプリ（登録商標）処理部１０３３ｃ：ＡＵ（ＥＺアプリ（ＢＲＥＷ）をサーバ１のプロトコルに変換）
ＥＺＷｅｂ（登録商標）処理部１０３３ｄ：ＡＵ（ＥＺＷｅｂをサーバ１のプロトコルに変換）
Ｓ！アプリ（登録商標）処理部１０３３ｅ：ソフトバンク（Ｓ！アプリをサーバ１のプロトコルに変換）
【００３２】
次に、統合化装置１０４のハードウェア構成例を、図１１を参照しながら説明する。なお、送受信装置１０２、処方箋処理装置１０５、カルテ処理装置１０８についても同様に構成される。
統合化装置１０４は、図１１に示すように、バス１１１との間で情報の入出力を行う通信Ｉ／Ｆ１０４１、各種処理を行うＣＰＵ１０４２、一時記憶を行うメモリモジュール１０４３、各部を動作させるためのプログラムを記憶する記憶装置１０４４、表示装置に情報を出力する表示Ｉ／Ｆ１０４５、入力装置からの情報が入力される入力Ｉ／Ｆ１０４６を有している。
【００３３】
次に、カルテ管理装置１０９の構成例について、図１２を参照しながら説明する。なお、管理装置１０６、薬管理装置１０７についても同様に構成される。
カルテ管理装置１０９は、図１２に示すように、カルテ処理装置１０８との間で情報の入出力を行う通信Ｉ／Ｆ１０９１、通信Ｉ／Ｆ１０９１を介したコマンド要求に応じ、情報の記憶、送出、削除、更新等を行う情報記憶装置１０９２、各種処理を行うＣＰＵ１０９３、一時記憶を行うメモリモジュール１０９４、各部を動作させるためのプログラムを記憶する記憶装置１０９５、表示装置に情報を出力する表示Ｉ／Ｆ１０９６、入力装置からの情報が入力される入力Ｉ／Ｆ１０９７を有している。
【００３４】
次に、薬服用管理装置１１０の構成例について、図１３を参照しながら説明する。
薬服用管理装置１１０は、図１３に示すように、バス１１１との間で情報の入出力を行う通信Ｉ／Ｆ１１０１、通信Ｉ／Ｆ１１０１を介したコマンド要求に応じ、情報の記憶、送出、削除、更新等を行う情報記憶装置１１０２、各種処理を行うＣＰＵ１１０３、一時記憶を行うメモリモジュール１１０４、各部を動作させるためのプログラムを記憶する記憶装置１１０５、表示装置に情報を出力する表示Ｉ／Ｆ１１０６、入力装置からの情報が入力される入力Ｉ／Ｆ１１０７を有している。
【００３５】
次に、上記のように構成された医療情報処理システムの動作例について説明する。
まず、処方箋情報の登録動作例について、図１４を参照しながら説明する。以下では、患者が携帯端末用ソフトを用いて端末２を操作する場合を示す。また、図１５に示すように、処方箋情報がＱＲコード（登録商標）１５１の形で印刷された処方箋を用いて、処方箋情報を登録する場合を示す。
【００３６】
この場合、図１４に示すように、まず、端末２は、携帯端末用ソフトを動作させて、サーバ１に接続する。次いで、サーバ１は、上記端末２に対して認証要求及び暗号化要求を行う。次いで、端末２は、図１６Ａに示すような入力画面を表示する。そして、患者は、入力画面に対して、ユーザ名（図ではあだ名）とパスワード（図では秘密の番号）を入力する。なお、端末２に表示される画面は、高齢者でも判別しやすいように、「赤」、「黄」、「青」等で色付けされた大きなフォントの文字を用いることがより望ましい。
【００３７】
次いで、端末２は、入力されたユーザ名及びパスワードを示す情報を暗号化してサーバ１に送信する。次いで、サーバ１は、暗号復号化装置１０１を介して送受信装置１０２で上記情報を受信した後、認証を行って、上記端末２に対して全体メニュー画面の表示要求を行う。次いで、端末２は、図１６Ｂに示すような全体メニュー画面を表示する。
図１６Ｂに示す全体メニュー画面では、処方箋情報の入力（登録）及び表示を行うための「薬情報」ボタン、カルテ情報の入力（登録）及び表示を行うための「カルテ情報」ボタン、薬の服用履歴を表示するための「飲薬情報」ボタン、患者と補助者等との間で随時又は緊急時に通話を行うための「テレビ通話」ボタン、患者に関する情報を表示するための「患者情報」ボタンが示されている。
【００３８】
図１６Ｂに示す全体メニュー画面において、患者が「薬情報」ボタンをクリックすると、端末２は、図１６Ｃに示すような薬情報の個別メニュー画面を表示する。図１６Ｃに示す個別メニュー画面では、処方箋情報の入力を行うための「入力」ボタン、処方箋情報の表示を行うための「表示」ボタンが示されている。
【００３９】
そして、図１６Ｃに示す個別メニュー画面において、患者が「入力」ボタンをクリックすると、端末２は、図１６Ｄに示すような撮影画面を表示する。そして、患者は、端末２が有するカメラを処方箋のＱＲコード１５１に合わせて撮影する。これにより、端末２は、ＱＲコード１５１から処方箋情報を取得できる。
【００４０】
次いで、端末２は、取得した処方箋情報を暗号化してサーバ１に送信する。次いで、サーバ１は、暗号復号化装置１０１を介して送受信装置１０２で処方箋情報を受信した後、処方箋処理装置１０５による処理を介して管理装置１０６は患者情報を記憶して薬管理装置１０７は薬情報等を記憶する。次いで、サーバ１は、上記端末２に対して終了要求を行う。次いで、端末２は、図１６Ｅに示すような登録完了画面を表示する。
【００４１】
なお上記では、図１６Ｄに示す撮影画面を用いてＱＲコード１５１を撮影し、取得した処方箋情報をサーバ１に送信する場合を示した。これに対し、予め端末２でＱＲコード１５１の撮影を行って処方箋情報をテキスト文書として記憶しておき、その後、サーバ１に対して当該テキスト文書を示す情報を送信（ファイル添付）することで、処方箋情報の登録を行ってもよい。この際のシーケンスは図１７の通りである。
なお、処方箋情報の登録においてＱＲコード１５１を用いることで、処方箋に記載された処方箋情報を素早く取り込むことができる。また、ＱＲコード１５１ではなく、その他のバーコードや赤外線通信等を用いて登録を行ってもよい。
【００４２】
次に、カルテ情報の登録動作例について説明する。以下では、医師が携帯端末用ソフトを用いて端末２を操作する場合を示す。
ここで、端末２が図１６Ｂに示す全体メニュー画面を表示する処理までは上記と同様である。
図１６Ｂに示す全体メニュー画面において、医師が「カルテ情報」ボタンをクリックすると、端末２は、図１８Ａに示すようなカルテ情報の個別メニュー画面を表示する。図１８Ａに示す個別メニュー画面では、カルテ情報の入力を行うための「入力」ボタン（カルテを撮影することでカルテ情報の入力を行うための「カメラ」ボタン、文章化されたデータを送信することでカルテ情報の入力を行うための「データ」ボタン）、カルテ情報の表示を行うための「表示」ボタンが示されている。
【００４３】
そして、図１８Ａに示す個別メニュー画面において、医師が「カメラ」ボタンをクリックすると、端末２は、図１８Ｂに示すような撮影画面を表示する。そして、医師は、端末２が有するカメラをカルテに合わせて撮影する。これにより、端末２は、カルテを示す情報を取得できる。
【００４４】
次いで、端末２は、取得したカルテを示す情報を暗号化してサーバ１に送信する。次いで、サーバ１は、暗号復号化装置１０１を介して送受信装置１０２でカルテを示す情報を受信した後、カルテ処理装置１０８による処理を介してカルテ管理装置１０９はカルテ情報を記憶する。次いで、サーバ１は、上記端末２に対して終了要求を行う。次いで、端末２は、図１８Ｃに示すような登録完了画面を表示する。
【００４５】
なお上記では、図１８Ｂに示す撮影画面を用いてカルテを撮影し、取得したカルテ情報をサーバ１に送信する場合を示した。これに対し、テキスト形式やＰＤＦ等で文章化されたデータを送信することで、カルテ情報の登録を行ってもよい。
この場合、図１８Ａに示す個別メニュー画面において、医師が「データ」ボタンをクリックすると、端末２は、図１８Ｄに示すようなデータ送信画面を表示する。そして、医師は、送信するデータを選択し、端末２は当該データを暗号化してサーバ１に送信する。
【００４６】
次に、処方箋情報の閲覧動作例について説明する。以下では、患者が携帯端末用ソフトを用いて端末２を操作する場合を示す。
ここで、端末２が図１６Ｃに示す処方箋情報の個別メニュー画面を表示する処理までは上記と同様である。
図１６Ｃに示す個別メニュー画面において、患者が「表示」ボタンをクリックすると、端末２は、図１９Ａに示すような処方箋画面を表示する。図１９Ａに示す処方箋画面では、薬品名、容量、リスト番号（図では、５種類調剤されており、１種類目を表示）、飲薬時間帯（図では、朝及び夜）、「医療機関マーク」ボタン、「薬局マーク」ボタンが示されている。
【００４７】
図１９Ａに示す処方箋画面において、患者が「薬品名」をクリックすると、端末２は、図１９Ｂに示すような薬画面を表示する。図１９Ｂに示す薬画面では、該当する薬に関する情報が示されている。
【００４８】
また、図１９Ａに示す処方箋画面において、患者が「医療機関マーク」ボタンをクリックすると、端末２は、図１９Ｃに示すような医療機関画面を表示する。図１９Ｃに示す医療機関画面では、医療機関名、受診科名、担当医、連絡先、内線番号、「メールマーク」ボタンが示されている。
図１９Ｃに示す医療機関画面において、患者が「医療機関名」をクリックすると、端末２は、図１９Ｄに示すような医療機関住所画面を表示する。図１９Ｄに示す医療機関住所画面では、医療機関名、住所が示されている。
また、図１９Ｃに示す医療機関画面において、患者が「メールマーク」ボタンをクリックするとメール送信画面に移行し、また、患者が連絡先の「電話番号」をクリックするとそのまま電話を掛けることができる。
【００４９】
また、図１９Ａに示す処方箋画面において、患者が「薬局マーク」ボタンをクリックすると、端末２は、図１９Ｅに示すような薬局画面を表示する。図１９Ｅに示す薬局画面では、薬局名、薬剤師名、連絡先、「メールマーク」ボタンが示されている。
図１９Ｅに示す薬局画面において、患者が「薬局名」をクリックすると、端末２は、図１９Ｆに示すような薬局住所画面を表示する。図１９Ｆに示す薬局住所画面では、薬局名、住所が示されている。
また、図１９Ｅに示す薬局画面において、患者が「メールマーク」ボタンをクリックするとメール送信画面に移行し、また、患者が連絡先の「電話番号」をクリックするとそのまま電話を掛けることができる。
【００５０】
なお上記では、サーバ１に記憶された情報を用いて端末２に画面を表示する場合を想定している。一方、端末２は、処方箋情報を表示した際にその情報を記憶し、２度目以降の表示では記憶している情報を用いて表示を行ってもよい。また、端末２が記憶している情報とサーバ１が記憶している情報に差分がある場合には、差分のみをサーバ１から受信して端末２に表示するように構成してもよい。以下についても同様である。
【００５１】
次に、カルテ情報の閲覧動作例について説明する。以下では、患者が携帯端末用ソフトを用いて端末２を操作する場合を示す。
ここで、端末２が図１８Ａに示すカルテ情報の個別メニュー画面を表示する処理までは上記と同様である。
図１８Ａに示す個別メニュー画面において、患者が「表示」ボタンをクリックすると、端末２は、図２０Ａに示すようなカルテ画面を表示する。図２０Ａに示すカルテ画面では、患者が内科、整形外科及び眼科にかかっていることを示している。
【００５２】
図２０Ａに示すカルテ画面において、患者が例えば「内科」をクリックすると、端末２は、図２０Ｂに示すような病名画面を表示する。図２０Ｂに示す病名画面には、病名の詳細（図では高血圧）、「医療機関マーク」ボタン、「薬局マーク」ボタンが示されている。
図２０Ｂに示す病名画面において、患者が「病名」をクリックすると、端末２は、図２０Ｃに示すような治療内容画面を表示する。図２０Ｃに示す治療内容画面では、現在の状況や治療内容等が示されている。
【００５３】
また、図２０Ｂに示す病名画面において、患者が「医療機関マーク」ボタンをクリックすると、端末２は、図２０Ｄに示すような医療機関画面を表示する。図２０Ｄに示す医療機関画面では、医療機関名、受診科名、担当医、連絡先、内線番号、「メールマーク」ボタンが示されている。
図２０Ｄに示す医療機関画面において、患者が「医療機関名」をクリックすると、端末２は、図２０Ｅに示すような医療機関住所画面を表示する。図２０Ｅに示す医療機関住所画面では、医療機関名、住所が示されている。
また、図２０Ｄに示す医療機関画面において、患者が「メールマーク」ボタンをクリックするとメール送信画面に移行し、また、患者が連絡先の「電話番号」をクリックするとそのまま電話をかけることができる。
【００５４】
また、図２０Ｂに示す病名画面において、患者が「薬局マーク」ボタンをクリックすると、端末２は、図２０Ｆに示すような薬局画面を表示する。図２０Ｆに示す薬局画面では、薬局名、薬剤師名、連絡先、「メールマーク」ボタンが示されている。
図２０Ｆに示す薬局画面において、患者が「薬局名」をクリックすると、端末２は、図２０Ｇに示すような薬局住所画面を表示する。図２０Ｇに示す薬局住所画面では、薬局名、住所が示されている。
また、図２０Ｆに示す薬局画面において、患者が「メールマーク」をクリックするとメール送信画面に移行し、また、患者が連絡先の「電話番号」をクリックするとそのまま電話を掛けることができる。
【００５５】
次に、医療情報処理システムによる飲薬時の動作例について説明する。
まず、サーバ１は、管理装置１０６に記憶された患者情報及び薬管理装置１０７に記憶された薬情報に基づき、薬の服用予定時刻又は時間帯になると、該当する患者が保持する端末２に対して薬の服用を促す情報を送信する。次いで、端末２は、上記情報を受信して、図２１に示すような飲薬通知画面を表示する。図２１に示す飲薬通知画面では、薬の服用を促すメッセージ、服用する薬を示す情報、容量、患者が薬を服用したことをサーバ１に通知するための「飲む」ボタンが示されている。
【００５６】
そして、患者が薬を服用し、患者又は補助者等が「飲む」ボタンをクリックすると、端末２は、サーバ１に対して、薬の服用を知らせる情報を送信する。
そして、薬服用管理装置１１０は、薬の服用を知らせる情報が受信された時刻、薬の種類、量等を服用履歴として記憶するとともに、当該時刻に基づいて該当する患者に対する飲み忘れ閾値を更新する。
【００５７】
一方、送受信装置１０２は、管理装置１０６に記憶された患者情報及び薬服用管理装置１１０に記憶された服用情報に基づき、上記端末２に対して薬の服用を促す情報を送信後、飲み忘れ閾値により定めた時刻までに当該端末２から薬の服用を知らせる情報を受信しない場合には、当該端末２に対して警告を示す情報を送信する。そして、送受信装置１０２は、上記端末２に対して警告を示す情報を送信後、一定時間経っても当該端末２から応答がない場合には、管理装置１０６に記憶された患者情報に基づき、該当する非常時連絡者が保持する端末２に対して異常を知らせる情報を送信する。
【００５８】
例えば、上記閾値の更新を繰り返した結果、患者Ａは薬の服用を忘れないが、患者Ｂは２回に１回は薬の服用を忘れることがわかったとする。
この場合、患者Ａに対して薬の服用を通知後、次の薬の服用までに服用が通知されない場合（すなわち、薬の服用を１回忘れた場合）には、患者Ａに対して警告を行う。そして、この警告に対しても応答がない場合には、異常があるとして非常時連絡者に警告を行う。
一方、患者Ｂに対して薬の服用を通知後、次の薬の服用までに服用が通知されない場合（すなわち、薬の服用を１回忘れた場合）には、患者Ｂに対する警告は行わない。しかしながら、患者Ｂが薬の服用を２回連続して忘れた場合には、患者Ｂに対して警告を行う。そして、この警告に対しても応答がない場合には、異常があるとして非常時連絡者に警告を行う。
このようにして、患者の性格、年齢又は病状等に応じた閾値を自動で設定可能となる。
【００５９】
以上のように、この実施の形態１によれば、送受信装置１０２は、患者情報及び薬情報に基づき、薬の服用予定時刻又は時間帯になった場合に、該当する患者が保持する端末２に対して薬の服用を促す情報を送信し、当該端末２は、入力操作に応じて、薬の服用を知らせる情報をサーバ１に送信し、送受信装置１０２は、患者情報及び服用情報に基づき、端末２に対して薬の服用を促す情報を送信後、閾値により定めた時刻までに当該端末２から薬の服用を知らせる情報を受信しない場合に、当該端末２に対して警告を示す情報を送信し、薬服用管理装置１１０は、送受信装置１０２により薬の服用を知らせる情報が受信された場合に、当該受信された時刻に基づき、該当する患者の閾値を更新するように構成したので、患者の医療情報を総合的に把握し、患者に薬の適切な服用を促すとともに、患者による薬の服用タイミングに応じて、薬の飲み忘れを判定するための閾値を自動的に設定可能である。
【００６０】
また、医師が作成する処方箋情報及びカルテ情報、患者の服用情報等の医療情報を、端末２を介してサーバ１に格納し、それぞれ適切な範囲で患者や医師等の関係者が利用できるため、医療情報を患者等が必要なときに速やかに入手できるとともに、その医療情報を医療機関や薬局において、適切な範囲で漏れなく、簡単且つ迅速に閲覧、登録、更新できる。その結果、薬の飲み忘れや悪い飲み合わせ等の要因によって生じる恐れのある医療上の危険性を回避でき、また、患者の服用情報を把握することで、患者の適切なケアや治療方法を効率的に行える。
【００６１】
なお、端末２からサーバ１への接続において、毎回、ユーザ名及びパスワードを入力しなくてもよいように設定してもよく、例えば端末２の番号自体をパスワードとして用いることもできる。
【００６２】
実施の形態２．
図２２はこの考案の実施の形態２に係る医療情報処理システムの構成例を示す図である。この図２２に示す実施の形態２に係る医療情報処理システムは、図１に示す実施の形態１に係る医療情報処理システムに対し、端末２に音声認識装置２０１（不図示）を追加し、サーバ１に音声解析装置１１２を追加している。その他の構成は同様であり、同一の符号を付してその説明を省略する。
【００６３】
音声認識装置２０１は、サーバ１からの情報に含まれる文字を音声に変換して出力する機能と、音声を検出して文字に変換する機能とを有する。
なお、端末２は、音声認識装置２０１により文字に変換された場合には当該文字を示す情報をサーバ１に送信し、音声認識装置２０１により文字に変換できなかった場合には音声を示す情報をサーバ１に送信する。
【００６４】
音声解析装置１１２は、送受信装置１０２により音声を示す情報が受信された場合に、当該音声を解析する。
この音声解析装置１１２は、例えば図２３に示すように、バス１１１との間で情報の入出力を行う通信Ｉ／Ｆ１１２１、解析済みの音声を対応する文字と紐付けて記憶する解析情報記憶装置１１２２、各種処理を行うＣＰＵ１１２３、一時記憶を行うメモリモジュール１１２４、各部を動作させるためのプログラムを記憶する記憶装置１１２５、表示装置に情報を出力する表示Ｉ／Ｆ１１２６、入力装置からの情報が入力される入力Ｉ／Ｆ１１２７を有している。
【００６５】
なお、送受信装置１０２は、音声解析装置１１２により音声が非常時連絡者（補助者等）の呼び出しであると解析された場合には、管理装置１０６に記憶された患者情報に基づき、当該非常時連絡者が保持する端末２に対して呼び出しを示す情報を送信する。
【００６６】
次に、サーバ１と端末２との間での音声処理例について説明する。以下では、薬の服用時の動作例を示す。
ここで例えば、端末２では、予め、患者又は補助者等による入力操作に応じ、画面上への文字の表示、音声の出力、及びその両方のうちのいずれかに設定する。ここでは、端末２が文字の表示及び音声の出力の両方に設定されたとする。
そして、図２４に示すように、サーバ１は、管理装置１０６に記憶された患者情報及び薬管理装置１０７に記憶された薬情報に基づき、薬の服用予定時刻又は時間帯になると、該当する患者が保持する端末２に対して薬の服用を促す情報を送信する。次いで、端末２は、上記情報を受信して、図２１に示すような飲薬通知画面を表示するとともに、音声認識装置２０１は文字を音声に変換して「〇薬を△錠飲んでください」と出力する。
【００６７】
そして、患者が薬を服用し、「飲む」ボタンをクリックする、又は、「飲んだ」と発声した場合に、端末２は、サーバ１に対して、薬の服用を知らせる情報を送信する。ここで、患者が発声した場合において、音声認識装置２０１が音声を文字に変換できた場合には文字を示す情報をサーバ１に送信し、文字に変換できなかった場合には音声を示す情報をサーバ１に送信する。
なお上記では、薬の服用時の動作について説明したが、それ以外の動作についても音声処理が適用できる。
【００６８】
このように、音声を用いた対応を可能とすることで、端末２を操作できない患者であっても対応可能となり、薬の服用時刻や患者の様子を窺い知ることができる。その結果、異常が生じた場合にも、補助者等への通知が遅れ、患者の容体が悪化したり重篤な状態となる可能性を低減できる。
【００６９】
また、端末２が有する音声認識装置２０１で音声の簡易解析を行い、解析できなかった場合にはサーバ１が有する音声解析装置１１２で詳細解析を行うことで、マルチプラットホームが利用可能となる。そして、音声の二重解析により、素早く且つ正確に処理を行うことができる。
【００７０】
実施の形態３．
図２５はこの考案の実施の形態３に係る医療情報処理システムの構成例を示す図である。この図２５に示す実施の形態３に係る医療情報処理システムは、図２２に示す実施の形態２に係る医療情報処理システムに対し、見守り装置６を追加し、サーバ１に画像解析装置１１３を追加している。その他の構成は同様であり、同一の符号を付してその説明を省略する。
【００７１】
見守り装置６は、患者の様子を見守るための装置であり、カメラ６０１、アダプタ６０２及び操作インタフェース６０３を備えている。
カメラ６０１は、患者（図ではベッド）を観察可能な位置に取付けられ、患者を撮影する。
アダプタ６０２は、カメラ６０１により撮影された画像を示す情報を直接又は操作インタフェース６０３を介してサーバ１に送信する。このアダプタ６０２は、図２６に示すように、操作インタフェース６０３との間で情報の送受信を行う操作用Ｉ／Ｆ６０２１、インターネット５との間で情報の送受信を行うＬＡＮ有線Ｉ／Ｆ６０２２、他の端末２との間で情報の送受信を行う端末Ｉ／Ｆ６０２３を有している。
なお、カメラ６０１とアダプタ６０２は、図２７Ａに示すような別体のセパレート型でもよいし、図２７Ｂに示すような一体型でもよい。
【００７２】
操作インタフェース６０３は、患者が使用する端末２であり、図２８に示すように、画面を表示するモニタ６０３１、音声が入力されるマイク６０３２、音声を出力するスピーカ６０３３、スイッチ６０３４、及び各装置を制御する処理装置６０３５を備えている。
なお、スイッチ６０３４は、患者が薬を服用した際に押される。また、スイッチ６０３４は、上記機能に加え、例えば長押しされることで、非常時連絡者の緊急呼び出し等にも利用可能である。また、スイッチ６０３４を複数設けて、用途毎に区別してもよい。また、モニタ６０３１としては、タッチディスプレイ等を使用でき、また、大画面とすることで携帯端末等を用いた場合よりも見易い仕様とすることができる。
【００７３】
画像解析装置１１３は、管理装置１０６に記憶された患者情報及び薬管理装置１０７に記憶された薬情報に基づいて、薬の服用予定時刻又は時間帯を含む時間帯において、送受信装置１０２により受信された該当する患者の画像を示す情報を、予め保持する薬を服用する様子を示す画像とを比較し、異常を検知する。なお、画像解析装置１１３のハードウェア構成は、音声解析装置１１２と同様である。
また、送受信装置１０２は、画像解析装置１１３により異常が検知された場合に、管理装置１０６に記憶された患者情報に基づき、該当する非常時連絡者が保持する端末２に対して警報を示す情報を送信する。
【００７４】
このように、画像解析装置１１３が、カメラ画像から患者による飲薬の確認ができず、異常であると判断した場合には、送受信装置１０２は、非常時連絡者が保持する端末２に対して警報通知を行うことができる。
【００７５】
また、患者は、モニタ６０３１上に表示された画面の指示に従って又はスピーカ６０３３から出力された音声に従って、スイッチ６０３４を操作したり、マイク６０３２に向けて発声することができる。これにより、薬を服用した旨の通知や、非常時連絡者の呼び出し等を行うこともできる。また、呼び出し通知により、非常時連絡者は、カメラ６０１から得られる映像と音声を介して、患者の観察、患者との各種コミュニケーションを容易且つ確実に実行することも可能である。
【００７６】
実施の形態４．
図２９はこの考案の実施の形態４に係る医療情報処理システムの構成例を示す図である。この図２９に示す実施の形態４に係る医療情報処理システムは、図１に示す実施の形態１に係る医療情報処理システムに対し、薬計量装置７を追加している。その他の構成は同様であり、同一の符号を付してその説明を省略する。
【００７７】
薬計量装置７は、置かれた薬の重量を計量し、当該計量した重量を示す情報を直接又は端末２を介してサーバ１に送信する。この薬計量装置７は、図３０に示すように、薬を載置可能であり且つ当該薬の重量を計量可能な計量機能付き薬剤ケース７０１と、計量機能付き薬剤ケース７０１により計量された重量を示す情報を直接又は端末２を介してサーバ１に送信するアダプタ７０２とを備えている。なお、アダプタ７０２のハードウェア構成は、アダプタ６０２と同様である。
また、薬服用管理装置１１０は、送受信装置１０２により重量を示す情報が受信された場合に、薬管理装置１０７に記憶された薬情報に基づき、当該重量から薬の服用を確認する。
【００７８】
ここで、従来では、例えばカレンダー型の薬ケースに薬を入れて管理を行っている。しかしながら、この場合、患者にとって仕分けが煩雑となり、正しい量の服用が守られない恐れがある。
一方、薬計量装置７で薬の重量を計測することで、サーバ１側で薬の服用を正しく確認できる。そして、薬を服用していない場合又は誤った薬を服用した場合には、重量が期待値からずれるため、異常を検知できる。
【００７９】
なお上記では、図１に示す実施の形態１に係る医療情報処理システムに対して薬計量装置７を追加した場合を示した。しかしながら、これに限らず、図２２に示す実施の形態２に係る医療情報処理システム又は図２５に示す実施の形態３に係る医療情報処理システムに対して薬計量装置７を追加してもよい。
【００８０】
実施の形態５．
実施の形態５では実施の形態２に示した音声解析装置１１２の詳細について示す。なお、この考案の実施の形態５に係る医療情報処理システムは、図２２に示す実施の形態２に係る医療情報処理システムと同様であり、図２２を参照しながら説明を行う。
【００８１】
音声解析装置１１２は、送受信装置１０２により受信された情報に含まれる音声を、解析済みの音声との比較を繰り返すことで解析し、当該解析した音声を記憶する。
なお、送受信装置１０２は、音声解析装置１１２でも音声を解析できない場合には、患者又は補助者等による文字の手入力を促す情報を該当する端末２に送信し、音声解析装置１１２は、手入力された情報を上記音声と紐付けて記憶する。
【００８２】
ここで、患者と補助者又は看護師等とのコミュニケーションを確保することは極めて重要である。しかしながら、特に高齢者の場合には、傷病の内容や術後等に滑舌が悪くなることが多く、相手に話の内容を伝えようとしても伝わらないこともあり、患者が途中で対話を諦めてしまうことがある。その結果、補助者又は看護師等との間で十分なコミュニケーションが行われなくなってしまう。
【００８３】
そこで、図３１に示すように、音声解析装置１１２にて、患者の音声を入力し（ステップＳＴ３１０１）、解析情報記憶装置１１２２に記憶された解析済みの音声との比較を繰り返す音声アルゴリズムによって文字に変換し、音声の意味を把握する（ステップＳＴ３１０２〜３１０４）。なお、音声アルゴリズムによっても文字に変換できない場合には、患者又は補助者等による文字の手入力を受付ける。そして、得られた文字を該当する音声と紐付けて解析情報記憶装置１１２２に記憶する（ステップＳＴ３１０５）。このように、患者特有の音声を解析済みの音声との比較を繰り返すことで解析し、文字に変換する。そして、以後は、患者特有の音声も解析情報記憶装置１１２２に記憶された情報から容易に認識可能となる。
【００８４】
このように、音声解析装置１１２により患者の言葉の癖を学習することで、分かりにくい言葉でも認識可能とし、患者、医師、補助者、薬剤師等の双方向のコミュニケーションを実現する。その結果、患者に正しい薬の適切な服用を促すとともに状況を把握でき、患者に対する適切なケアを効率的に実現できる。
【００８５】
なお、本考案はその考案の範囲内において、各実施の形態の自由な組み合わせ、あるいは各実施の形態の任意の構成要素の変形、もしくは各実施の形態において任意の構成要素の省略が可能である。
【符号の説明】
【００８６】
１  サーバ、２  端末、３  通信アンテナ、４  携帯端末基地局、５  インターネット、６  見守り装置、７  薬計量装置、１０１  暗号復号化装置、１０２  送受信装置、１０３  アプリ処理装置、１０４  統合化装置、１０５  処方箋処理装置、１０６  管理装置、１０７  薬管理装置、１０８  カルテ処理装置、１０９  カルテ管理装置、１１０  薬服用管理装置、１１１  高速システムバス、１１２  音声解析装置、１１３  画像解析装置、２０１  音声認識装置、６０１  カメラ、６０２  アダプタ、６０３  操作インタフェース、７０１  計量機能付き薬剤ケース、７０２  アダプタ、１０１１  通信制御インタフェース、１０１２  復号化処理部、１０１３  通信Ｉ／Ｆ、１０１４  符号化処理部、１０１５  ＣＰＵ、１０１６  メモリモジュール、１０１７  記憶装置、１０１８  表示Ｉ／Ｆ、１０１９  入力Ｉ／Ｆ、１０３１  通信Ｉ／Ｆ、１０３２  キャリア検出部、１０３３ａ  ｉモード処理部、１０３３ｂ  αアプリ処理部、１０３３ｃ  ＥＺアプリ処理部、１０３３ｄ  ＥＺＷｅｂ処理部、１０３３ｅ  Ｓ！アプリ処理部、１０３４  コンピュータ処理部、１０３５  ＣＰＵ、１０３６  メモリモジュール、１０３７  記憶装置、１０３８  表示Ｉ／Ｆ、１０３９  入力Ｉ／Ｆ、１０４１  通信Ｉ／Ｆ、１０４２  ＣＰＵ、１０４３  メモリモジュール、１０４４  記憶装置、１０４５  表示Ｉ／Ｆ、１０４６  入力Ｉ／Ｆ、１０９１  通信Ｉ／Ｆ、１０９２  情報記憶装置、１０９３  ＣＰＵ、１０９４  メモリモジュール、１０９５  記憶装置、１０９６  表示Ｉ／Ｆ、１０９７  入力Ｉ／Ｆ、１１０１  通信Ｉ／Ｆ、１１０２  情報記憶装置、１１０３  ＣＰＵ、１１０４  メモリモジュール、１１０５  記憶装置、１１０６  表示Ｉ／Ｆ、１１０７  入力Ｉ／Ｆ、１１２１  通信Ｉ／Ｆ、１１２２  解析情報記憶装置、１１２３  ＣＰＵ、１１２４  メモリモジュール、１１２５  記憶装置、１１２６  表示Ｉ／Ｆ、１１２７  入力Ｉ／Ｆ、６０２１  操作用Ｉ／Ｆ、６０２２  ＬＡＮ有線Ｉ／Ｆ、６０２３  端末Ｉ／Ｆ、６０３１  モニタ、６０３２  マイク、６０３３  スピーカ、６０３４  スイッチ、６０３５  処理装置。
【図１】
0003208257.tif 000003
【図２】
0003208257.tif 000004
【図３】
0003208257.tif 000005
【図４】
0003208257.tif 000006
【図５】
0003208257.tif 000007
【図６】
0003208257.tif 000008
【図７】
0003208257.tif 000009
【図８】
0003208257.tif 000010
【図９】
0003208257.tif 000011
【図１０】
0003208257.tif 000012
【図１１】
0003208257.tif 000013
【図１２】
0003208257.tif 000014
【図１３】
0003208257.tif 000015
【図１４】
0003208257.tif 000016
【図１５】
0003208257.tif 000017
【図１６】
0003208257.tif 000018
【図１７】
0003208257.tif 000019
【図１８】
0003208257.tif 000020
【図１９】
0003208257.tif 000021
【図２０】
0003208257.tif 000022
【図２１】
0003208257.tif 000023
【図２２】
0003208257.tif 000024
【図２３】
0003208257.tif 000025
【図２４】
0003208257.tif 000026
【図２５】
0003208257.tif 000027
【図２６】
0003208257.tif 000028
【図２７】
0003208257.tif 000029
【図２８】
0003208257.tif 000030
【図２９】
0003208257.tif 000031
【図３０】
0003208257.tif 000032
【図３１】
0003208257.tif 000033